(57)【特許請求の範囲】
【請求項１】
内視鏡の処置具挿通チャンネルに挿脱される可撓性のシースと、上記シースの基端に連結された筒状本体と、上記シース内に軸線方向に進退自在に全長にわたって挿通されて先端に針先が形成された可撓性針軸と、上記可撓性針軸の基端に連結されて上記筒状本体に軸線方向に進退自在に嵌挿されたスライド操作筒と、上記筒状本体に対する上記スライド操作筒の進退を弾力的に固定するための互いに係脱自在なＯリングと溝からなるクリック機構とを有する内視鏡用穿刺具において、
上記クリック機構を、上記スライド操作筒の外周面に装着された弾力性のある材料からなる第１及び第２のＯリングと、上記筒状本体の内周面に形成された係合溝とによって形成し、上記針先が上記シースの先端から突出した状態のときには上記第１のＯリングが上記係合溝に係合し、上記針先が上記シース内に収納された状態のときには上記第２のＯリングが上記係合溝に係合するように構成すると共に、
上記針先が上記シースの先端から突出した状態のときに行われる上記係合溝と上記第１のＯリングとの係合より、上記針先が上記シース内に収納された状態のときに行われる上記係合溝と上記第２のＯリングとの係合力の方を小さくしたことを特徴とする内視鏡用穿刺具。
【請求項２】
上記針先が上記シースの先端から突出した状態のときに上記第２のＯリングと係合する第２の係合溝が上記筒状本体の内周面に形成されている請求項１記載の内視鏡用穿刺具。
【発明の詳細な説明】
【０００１】
【発明の属する技術分野】
この発明は、内視鏡の処置具挿通チャンネルに挿通されて体腔内に注射等を行うために用いられる内視鏡用穿刺具に関する。
【０００２】
【従来の技術】
図６は従来の内視鏡用穿刺具を示しており、内視鏡の処置具挿通チャンネルに挿脱される可撓性のシース９１の基端に筒状本体９２が連結されている。なお、図の下半部は外観を示し、上半部は断面を示している。
【０００３】
シース９１内には、先端に針先９３ａが連結された可撓性針軸９３が軸線方向に進退自在に全長にわたって挿通されており、その可撓性針軸９３の基端に連結されたスライド操作筒９４が、筒状本体９２に軸線方向に進退自在に嵌挿されている。
【０００４】
したがって、スライド操作筒９４を筒状本体９２に対して軸線方向にスライド操作することにより、可撓性針軸９３の先端に連結された針先９３ａをシース９１の先端から出入りさせることができる。
【０００５】
ただし、針先９３ａを体腔内粘膜に突き刺すためには、針先９３ａがシース９１の先端から突出した状態でスライド操作筒９４を筒状本体９２に固定し、可撓性針軸９３とシース９１とを一時的に一体化する必要がある。
【０００６】
そこで、弾力性のあるＯリング９５を筒状本体９２の内周面部に装着すると共に、そのＯリング９５と係合する係合溝９６をスライド操作筒９４の外周面に形成して、いわゆるクリック機構が設けられている。
【０００７】
そして、筒状本体９２に対してスライド操作筒９４を軸線方向に進退させることによりＯリング９５と係合溝９６を係脱させることができるが、その係合状態（クリックが効いた状態）を解除するには相当の力を必要とするようにセッティングされている。
【０００８】
【発明が解決しようとする課題】
しかし、上述のように筒状本体９２の内周面部に装着されたＯリング９５は外部からほとんど見えないので、切れたり磨耗してもそれに気付かず、使用中に初めて不具合が分かって注射等の処置を行えなくなってしまうことがある。また、筒状本体９２の内周面部に装着されたＯリング９５の交換作業は簡単に行うことができない。
【０００９】
そこで本発明は、クリックを構成するＯリングの磨耗状態の確認が容易であり、磨耗があるときにはそれを容易に交換することができる内視鏡用穿刺具を提供することを目的とする。
【００１０】
【課題を解決するための手段】
上記の目的を達成するため、本発明の内視鏡用穿刺具は、内視鏡の処置具挿通チャンネルに挿脱される可撓性のシースと、上記シースの基端に連結された筒状本体と、上記シース内に軸線方向に進退自在に全長にわたって挿通されて先端に針先が形成された可撓性針軸と、上記可撓性針軸の基端に連結されて上記筒状本体に軸線方向に進退自在に嵌挿されたスライド操作筒と、上記筒状本体に対する上記スライド操作筒の進退を弾力的に固定するための係脱自在なクリック機構とを有する内視鏡用穿刺具において、上記クリック機構を、上記スライド操作筒の外周面に装着された弾力性のある材料からなる第１及び第２のＯリングと、上記筒状本体の内周面に形成された係合溝とによって形成し、上記針先が上記シースの先端から突出した状態のときには上記第１のＯリングが上記係合溝に係合し、上記針先が上記シース内に収納された状態のときには上記第２のＯリングが上記係合溝に係合するようにしたことを特徴とする。
【００１１】
なお、上記針先が上記シースの先端から突出した状態のときに行われる上記係合溝と上記第１のＯリングとの係合より、上記針先が上記シース内に収納された状態のときに行われる上記係合溝と上記第２のＯリングとの係合力の方を小さくするとよい。
【００１２】
また、上記針先が上記シースの先端から突出した状態のときに上記第２のＯリングと係合する第２の係合溝が上記筒状本体の内周面に形成されていてもよい。
【００１３】
【発明の実施の形態】
図面を参照して本発明の実施の形態を説明する。
図１及び図２は、本発明の第１の実施の形態の内視鏡用穿刺具を示しており、図１は、シース１の先端から針先３ａが突出した状態を示し、図２はシース１の先端内に針先３ａが引っ込められた状態を示している。なお、図の下半部は外観を示し、上半部は断面を示している。これは、他の図においても同様である。
【００１４】
内視鏡の処置具挿通チャンネルに挿脱される可撓性のシース１は、腰の強さを確保するために密着巻きのコイルパイプが用いられており、シース１の太さを極力細くするために、ここでは偏平に潰された断面形状の素線を密着巻きしたものが用いられている。
【００１５】
シース１の基端には、指先等で保持される筒状本体２が連結されている。２ａは、筒状本体２内に嵌挿されてネジ止め固定された連結筒であり、シース１の基端が半田付け又は銀ロー付け等によって固着されている。また、筒状本体２の手元側端部には、指先が引っ掛かるようにするための口元部材２ｂが一体的に接合されている。
【００１６】
連結筒２ａと口元部材２ｂは、筒状本体２をパイプ材から形成するために筒状本体２と別部品になっているが、本来は筒状本体２と同一の部品として形成して差し支えないものである。よって、以下の説明において、連結筒２ａと口元部材２ｂはいずれも筒状本体２の一部として取り扱うものとする。
【００１７】
シース１内には、先端に針先３ａが連結された可撓性チューブからなる可撓性針軸３が軸線方向に進退自在に全長にわたって挿通されており、その可撓性針軸３の基端に連結されたスライド操作筒４が、筒状本体２に軸線方向に進退自在に嵌挿されている。なお、針先３ａを可撓性針軸３と一体に成形してもよい。
【００１８】
スライド操作筒４の手元側端部には針元口金４ａが一体に固着されていて、可撓性針軸３の基端はこの針元口金４ａに対して連通固着されている。したがって、針元口金４ａに注射筒（図示せず）を接続することにより、可撓性針軸３に薬液等を送り込むことができる。
【００１９】
そして、スライド操作筒４を筒状本体２に対して軸線方向にスライド操作することにより、図１及び図２に示されるように、可撓性針軸３の針先３ａをシース１の先端から出入りさせることができる。
【００２０】
ただし、針先３ａを体腔内粘膜に突き刺すためには、針先３ａをシース１の先端から突出させた状態でスライド操作筒４を筒状本体２に固定し、可撓性針軸３とシース１とを一時的に一体化する必要がある。
【００２１】
なお、その時は、シース１の先端に取り付けられた先端口金１ａの裏面に可撓性針軸３の先端が当接して、シース１内において可撓性針軸３が圧縮されて撓んだ状態になるようにする。
【００２２】
筒状本体２に対するスライド操作筒４の進退を弾力的に固定するために、弾力性のある材料からなる第１及び第２のＯリング１１，１２と、そのＯリング１１，１２が係合する係合溝２１とによって形成された、係脱自在なクリック機構が設けられている。
【００２３】
Ｏリング１１，１２は、スライド操作筒４の前後両端付近に円周方向に形成されたＯリング装着溝１３，１４内に少し出っ張る状態に嵌め込まれており、係合溝２１は、筒状本体２の手元側端部の口元部材２ｂの内周面に形成されている。
【００２４】
したがって、図１に示されるように、スライド操作筒４を連結筒２ａにぶつかるまで筒状本体２内に押し込んで、シース１の先端から針先３ａが突出して可撓性針軸３が少し圧縮された状態になると、スライド操作筒４の手元側に装着された第１のＯリング１１が係合溝２１に係合する。
【００２５】
その結果、いわゆる「クリックが効いた状態」になり、筒状本体２に対するスライド操作筒４の軸線方向動作が弾力的に固定された状態になって、シース１と可撓性針軸３とが軸線方向への移動について一体化された状態になる。
【００２６】
その状態から、筒状本体２を摘んだ状態で力を入れてスライド操作筒４を手元側に引っ張ると、第１のＯリング１１と係合溝２１との係合が外れて、スライド操作筒４が筒状本体２から手元側に引き出され、針先３ａがシース１の先端内に引き込まれる。
【００２７】
そして、図２に示されるように、スライド操作筒４の先端側に装着された第２のＯリング１２が係合溝２１に係合し、針先３ａがシース１内に引き込まれた状態でクリックが効いた状態になる。
【００２８】
また、さらにその状態から、筒状本体２を摘んだ状態で力を入れてスライド操作筒４を手元側に引っ張ると、第２のＯリング１２と係合溝２１との係合が外れて、シース１内から可撓性針軸３全体を引き出すことができる。
【００２９】
このように構成された内視鏡用穿刺具は、クリック機構を構成するＯリング１１，１２が、筒状本体２から引き出し自在なスライド操作筒４に装着されているので、Ｏリング１１，１２の磨耗状態の確認が容易であり、磨耗や傷等があるときには容易に交換することができる。
【００３０】
図３は、本発明の第２の実施の形態の内視鏡用穿刺具の筒状本体２とスライド操作筒４の部分を示しており、筒状本体２の奥に入った位置の内周面に第２の係合溝２２を形成したものである。その他の部分については、上述の第１の実施の形態と同じである。
【００３１】
このようにすることにより、筒状本体２に対してスライド操作筒４が押し込まれた状態（即ち、針先３ａがシース１の先端から突出した状態）では、第１のＯリング１１が第１の係合溝２１に係合するのと同時に、第２のＯリング１２が第２の係合溝２２に係合して、クリック力を強くすることができる。
【００３２】
図４と図５は、本発明の第３と第４の実施の形態の内視鏡用穿刺具の筒状本体２とスライド操作筒４の部分を示しており、共に第１のＯリング装着溝１３を浅く形成して第１のＯリング１１の突出量を大きくし、その分だけ係合溝２１の溝深さを深く形成したものである。その他の部分は、第３の実施の形態は第１の実施の形態と同じであり、第４の実施の形態は第２の実施の形態と同じである。
【００３３】
このようにすることにより、筒状本体２に対してスライド操作筒４が押し込まれた状態（即ち、針先３ａがシース１の先端から突出した状態）における第１のＯリング１１と第１の係合溝２１との係合力を高めて、クリック力を強くすることができる。
【００３４】
なお、本発明は上記実施の形態に限定されるものではなく、例えば、クリック力を最適に設定するために、第１と第２のＯリング１１，１２の硬度や太さ等を相違させてもよい。
【００３５】
【発明の効果】
本発明によれば、筒状本体に対するスライド操作筒の進退を弾力的に固定するための係脱自在なクリック機構を、スライド操作筒の外周面に装着された弾力性のある材料からなる第１及び第２のＯリングと、筒状本体の内周面に形成された係合溝とによって形成したことにより、筒状本体からスライド操作筒を引き出してＯリングの磨耗状態を容易に確認することができ、Ｏリングに磨耗や傷等があるときには容易に交換することができる。
【図面の簡単な説明】
【図１】本発明の第１の実施の形態の内視鏡用穿刺具の針先突出状態の半断面図である。
【図２】本発明の第１の実施の形態の内視鏡用穿刺具の針先引込状態の半断面図である。
【図３】本発明の第２の実施の形態の内視鏡用穿刺具の半断面図である。
【図４】本発明の第３の実施の形態の内視鏡用穿刺具の半断面図である。
【図５】本発明の第４の実施の形態の内視鏡用穿刺具の半断面図である。
【図６】従来の内視鏡用穿刺具の針先突出状態の半断面図である。
【符号の説明】
１  シース
２  筒状本体
３  可撓性針軸
３ａ  針先
４  スライド操作筒
１１，１２  Ｏリング
１３，１４  Ｏリング装着溝
２１，２２  係合溝
【図１】
0004260950.tif 000002
【図２】
0004260950.tif 000003
【図３】
0004260950.tif 000004
【図４】
0004260950.tif 000005
【図５】
0004260950.tif 000006
【図６】
0004260950.tif 000007